【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
資源配分をリアルタイムで評価する方法において、
ある期間にわたって生じたユーザの複数の視線に関する情報を、リアルタイムで受信することと、
前記複数の視線のそれぞれを、オンターゲット視線またはオフターゲット視線として分類することと、
前記複数の視線のうちの分類された前記視線に基づいて注意力バッファの瞬間ごとのバッファ値を連続的に算出することであって、前記注意力バッファは、前記ユーザの認識レベルに対応する、ある範囲の値である、ことと、
算出された前記瞬間ごとのバッファ値が前記方法の実行中の任意の時点において分かるように、算出された前記瞬間ごとのバッファ値を連続的に出力することと、
以下：
連続的に出力された、算出された前記瞬間ごとのバッファ値に基づいて、指示を提供すること、および、
ある期間にわたる、連続的に出力された、算出された前記瞬間ごとのバッファ値のうちの、少なくともいくつかの連続的に出力された、算出された瞬間ごとのバッファ値を含むデータを、１つ以上のデータベースに提供すること、
のうちの少なくとも１つを行うことと、
を含む、方法。
【請求項２】
請求項１に記載の方法において、
前記ユーザは、車両の操作者であり、
前記方法は、前記連続的に出力された、算出された瞬間ごとのバッファ値に基づいて、指示を提供することを含み、
前記連続的に出力された、算出された瞬間ごとのバッファ値に基づいて、前記指示を提供することは、前記連続的に出力された、算出された瞬間ごとのバッファ値に基づく前記指示を、前記車両、前記車両の前記操作者、および前記指示を受信するように構成された受信機のうちの少なくとも１つに提供することをさらに含む、方法。
【請求項３】
請求項２に記載の方法において、
算出された前記瞬間ごとのバッファ値を連続的に出力すること、ならびに、前記連続的に出力された、算出された瞬間ごとのバッファ値に基づいて、前記車両、前記車両の前記操作者、および前記指示を受信するように構成された前記受信機のうちの少なくとも１つに前記指示を提供することのうちの少なくとも一方を行うために、前記車両の１つ以上のコンポーネントと通信することをさらに含み、前記車両の前記１つ以上の前記コンポーネントは、
前記車両と関連付けられた１つ以上のアクションを自動化するように構成された自動化システムと、
前記車両の前記操作者が状況認識を促進するように環境に注意を払うのを効果的に助けるために、前記車両の前記操作者に提供される１つ以上の機能およびコンテンツ；コンテンツが前記操作者に提供される１つ以上の方式；ならびに１つ以上の制御入力の性質のうちの少なくとも１つを変更するように応答するよう構成された、適応インターフェースと、
前記車両の周辺環境、知識、および前記車両の前記操作者の前記認識レベルのうちの少なくとも１つに応答して、前記車両のパラメータを調節するように構成された、情況認識機能を持った車両制御システムと、
前記車両の前記操作者に、前記車両および前記車両の向きの制御に関する情報のうちの少なくとも１つを提供するように構成された、車両内ディスプレイと、を含む、方法。
【請求項４】
請求項２に記載の方法において、
前記車両の運転中に前記車両の前記操作者が行う変更および前記車両の周辺の環境に対する変化のうちの少なくとも１つに基づいて、前記車両、前記車両の前記操作者、および前記指示を受信するように構成された前記受信機のうちの少なくとも１つに提供される前記指示を適応させることをさらに含む、方法。
【請求項５】
請求項１に記載の方法において、
前記方法は、前記連続的に出力された、算出された瞬間ごとのバッファ値に基づいて、指示を提供することを含み、
前記連続的に出力された、算出された瞬間ごとのバッファ値に基づいて、指示を提供することは、
（１）前記ユーザの前記認識レベルを変化させるように構成された指示を提供すること、
（２）前記連続的に出力された、算出された瞬間ごとのバッファ値に応答して自動化システムの１つ以上のパラメータを調節するように、前記自動化システムに指示を提供すること、
（３）前記ユーザとの情報交換を増やすように指示を提供すること、
のうちの少なくとも１つをさらに含む、方法。
【請求項６】
請求項５に記載の方法において、
前記ユーザとの情報交換を増やすように指示を提供することは、前記ユーザとの情報交換を抑制するように指示を提供することをさらに含む、方法。
【請求項７】
請求項１に記載の方法において、
複数の視線に関するリアルタイムで受信された前記情報は、頻度、持続時間、および場所をさらに含む、方法。
【請求項８】
請求項１に記載の方法において、
前記複数の視線からの分類された前記視線に基づいて注意力バッファの瞬間ごとのバッファ値を連続的に算出することは、ある期間にわたる、分類された前記オンターゲット視線および分類された前記オフターゲット視線を互いにつなげることをさらに含み、分類された前記オンターゲット視線および分類された前記オフターゲット視線は、分類された前記オンターゲット視線および前記オフターゲット視線それぞれの持続時間を含む、方法。
【請求項９】
請求項１に記載の方法において、
前記複数の視線のそれぞれを、オンターゲット視線またはオフターゲット視線として分類することは、
前記オンターゲット視線のそれぞれを、中心に位置する視線または周辺に位置する視線として分類することと、
前記オフターゲット視線のそれぞれを、状況認識関連視線または状況認識無関係視線として分類することと、をさらに含む、方法。
【請求項１０】
請求項９に記載の方法において、
前記ユーザは、車両の操作者であり、
前記状況認識関連視線は、以下の場所：バックミラー、サイドミラー、死角、車両性能、前記車両の自動化状態、道路およびその状態、環境データ、周辺データ、およびユーザデータのうちの少なくとも１つに関する情報が表示される、車両内ディスプレイの一部、ならびに、道路およびその状態、環境データ、および周辺データのうちの少なくとも１つに関する情報が表示される、前記車両の外側の場所、のうちの１つにおける視線を含む、方法。
【請求項１１】
請求項９に記載の方法において、
前記オフターゲット視線が状況認識関連視線または一連の状況認識関連視線である場合、注意力バッファの瞬間ごとのバッファ値を連続的に算出することは、遅延期間が終了し、前記状況認識関連視線が依然として現在の分類された視線となるまで、前記注意力バッファの減少率の適用を遅延させることをさらに含む、方法。
【請求項１２】
請求項９に記載の方法において、
前記オンターゲット視線が中心に位置する視線である場合、注意力バッファの瞬間ごとのバッファ値を連続的に算出することは、前記中心に位置する視線が生じる時間が閾値を超えたときに、前記注意力バッファの減少率を適用することをさらに含む、方法。
【請求項１３】
請求項１に記載の方法において、
前記連続的に出力された、算出された瞬間ごとのバッファ値を閾値と比較することをさらに含み、
前記方法は、前記連続的に出力された、算出された瞬間ごとのバッファ値に基づいて、指示を提供することを含み、
提供される前記指示は、算出された前記瞬間ごとのバッファ値と前記閾値との比較に基づいて選択される、方法。
【請求項１４】
請求項１３に記載の方法において、
車両の性能、前記車両の自動化状態、道路およびその状態、環境データ、周辺データ、ならびにユーザデータのうちの少なくとも１つを考慮して前記閾値を調節することをさらに含む、方法。
【請求項１５】
請求項１に記載の方法において、
前記注意力バッファは、前記瞬間ごとのバッファ値に影響を与える複数の変数を有する等式を含み、前記複数の変数は、前記瞬間ごとのバッファ値間の比率を、可変レートで増減させるように構成される、方法。
【請求項１６】
請求項１に記載の方法において、
前記注意力バッファは、前記瞬間ごとのバッファ値に影響を与える複数の変数を有する等式を含み、前記複数の変数は、
（１）増加率；
（２）減少率；
（３）初期値開始；
（４）切替コスト；
（５）視線速度減少の存在；および
（６）場所に基づくレイテンシ、
のうちの少なくとも１つを含み、
前記方法は、以下の要因：
（１）状況に応じた広範な要求；
（２）即時タスク要求；および、
（３）情報処理状態
のうちの少なくとも１つに基づいて、前記瞬間ごとのバッファ値の算出を実行するために依存する前記複数の変数のうちの１つ以上の変数を選択することをさらに含む、方法。
【請求項１７】
請求項１６に記載の方法において、
前記注意力バッファの前記等式は、前記オンターゲット視線の持続時間、および前記オフターゲット視線の持続時間を考慮に入れる、方法。
【請求項１８】
請求項１６に記載の方法において、
前記注意力バッファの前記等式は、視線推移を考慮に入れる、方法。
【請求項１９】
請求項１に記載の方法において、
前記ユーザは、車両の操作者であり、
前記方法は、ある期間にわたる、前記連続的に出力された、算出された瞬間ごとのバッファ値のうちの、少なくともいくつかの連続的に出力された、算出された瞬間ごとのバッファ値を含むデータを、１つ以上のデータベースに提供することを含み、
提供される前記データは、受信された前記瞬間ごとのバッファ値に基づいて、操作者プロフィールを定めるのに使用されるように構成される、方法。
【請求項２０】
請求項１に記載の方法において、
前記ユーザは、車両の操作者であり、
前記方法は、ある期間にわたる、前記連続的に出力された、算出された瞬間ごとのバッファ値のうちの、少なくともいくつかの連続的に出力された、算出された瞬間ごとのバッファ値を含むデータを、１つ以上のデータベースに提供することを含み、
提供される前記データは、受信された前記瞬間ごとのバッファ値の少なくともいくつかの部分から算出された、平均、モード、可変性、移動平均窓、標準偏差、分布サマリー、瞬間ごとの集合プロット、スペクトル幅およびパワーのフーリエ解析を含む高度な指標、ならびに記号集約近似のうちの少なくとも１つに基づいて、グローバルプロフィールを定めるのに使用されるように構成される、方法。
【請求項２１】
請求項１に記載の方法において、
前記ユーザおよび前記ユーザに影響を与える環境のうちの少なくとも１つに関する、学習情報に基づいて、前記注意力バッファを調節するように、人工知能コンポーネントを動作させることをさらに含む、方法。
【請求項２２】
請求項１に記載の方法において、
前記ユーザは、車両の操作者であり、
前記方法は、ある期間にわたる、前記連続的に出力された、算出された瞬間ごとのバッファ値のうちの、少なくともいくつかの連続的に出力された、算出された瞬間ごとのバッファ値を含むデータを、１つ以上のデータベースに提供することを含み、
提供される前記データは、保険料控除および保険料率のうちの少なくとも一方を決定することに関連する情報を含む、方法。
【請求項２３】
資源を配分する方法において、
一時的バッファ値を定量化するのに使用される、オンターゲット視線またはオフターゲット視線として視線を分類することを含み、
前記視線が前記オンターゲット視線として分類された場合、前記方法は、
直前の前記視線が前記オンターゲット視線であったかまたは前記オフターゲット視線であったかを決定することと、
前記視線について前記一時的バッファ値を決定することと、
前記直前の前記視線が前記オフターゲット視線であった場合、前記オフターゲット視線から前記オンターゲット視線への移動と関連付けられた推移を考慮に入れることと、をさらに含み、
前記視線が前記オフターゲット視線として分類された場合、前記方法は、
前記オフターゲット視線を状況認識関連視線または状況認識無関係視線であるとして分類することと、
前記視線について前記一時的バッファ値を決定することと、をさらに含み、
前記オフターゲット視線が前記状況認識関連視線であった場合、前記視線について前記一時的バッファ値を決定することは、レイテンシを考慮に入れることをさらに含む、方法。
【請求項２４】
請求項２３に記載の方法において、
前記視線が前記オンターゲット視線である場合、前記方法は、前記オンターゲット視線を、中心に位置する視線または周辺に位置する視線として分類することをさらに含み、
前記オンターゲット視線が前記中心に位置する視線である場合、前記視線について前記一時的バッファ値を決定することは、連続的な前記中心に位置する視線の持続時間が閾値時間を超える場合を考慮に入れることをさらに含み、
前記オンターゲット視線が前記周辺に位置する視線である場合、前記視線について前記一時的バッファ値を決定することは、最初に決定された一時的バッファ値、最大バッファ値、および前記オンターゲット視線と関連付けられた増加値のうちの少なくとも１つに基づいて、前記視線について前記一時的バッファ値を決定することをさらに含む、方法。
【請求項２５】
請求項２４に記載の方法において、
前記オンターゲット視線が前記中心に位置する視線である場合、前記視線について前記一時的バッファ値を決定することは、
（１）連続的な前記中心に位置する視線の前記持続時間を決定することと、
（２）連続的な前記中心に位置する視線の前記持続時間を、前記閾値時間と比較することと、
（３）連続的な前記中心に位置する視線の前記持続時間が、前記閾値時間以上である場合に：
（ａ）前記最初に決定された一時的バッファ値を、オンターゲットバッファ減少下限値と比較し、
（ｂ）前記最初に決定された一時的バッファ値が前記オンターゲットバッファ減少下限値より大きい場合、前記視線について前記一時的バッファ値を決定することは、前記一時的バッファ値を、前記オンターゲット視線と関連付けられた減少値未満の前記最初に決定された一時的バッファ値として設定することをさらに含み、
（ｃ）前記最初に決定された一時的バッファ値が前記オンターゲットバッファ減少下限値以下である場合、前記視線について前記一時的バッファ値を決定することは、前記一時的バッファ値を前記オンターゲットバッファ減少下限値として設定することをさらに含む、ことと、
（４）連続的な前記中心に位置する視線の前記持続時間が前記閾値時間未満である場合、前記視線について前記一時的バッファ値を決定することは、前記最初に決定された一時的バッファ値、前記最大バッファ値、および前記オンターゲット視線と関連付けられた増加値のうちの少なくとも１つに基づいて、前記視線について前記一時的バッファ値を決定することをさらに含むことと、
をさらに含む、方法。
【請求項２６】
請求項２３に記載の方法において、
前記視線が前記オフターゲット視線である場合、前記視線について前記一時的バッファ値を決定することは、最初に決定された一時的バッファ値、最小バッファ値、および前記オフターゲット視線と関連付けられた減少値のうちの少なくとも１つに基づく、方法。
【請求項２７】
請求項２６に記載の方法において、
前記オフターゲット視線が前記状況認識関連視線として分類された場合、前記視線について前記一時的バッファ値を決定することは、
（１）前記一時的バッファ値と関連付けられたレイテンシ値を決定することと、
（２）決定された前記レイテンシ値を閾値レイテンシ値と比較することと、
（３）決定された前記レイテンシ値が前記閾値レイテンシ値以下である場合、前記視線について前記一時的バッファ値を決定することは、前記一時的バッファ値を前記最初に決定された一時的バッファ値として設定することをさらに含むことと、
（４）決定された前記レイテンシ値が前記閾値レイテンシ値超である場合、
（ａ）前記最初に決定された一時的バッファ値を前記最小バッファ値と比較し、
（ｂ）前記最初に決定された一時的バッファ値が前記最小バッファ値以下である場合、前記視線について前記一時的バッファ値を決定することは、前記一時的バッファ値を前記最小バッファ値として設定することをさらに含み、
（ｃ）前記最初に決定された一時的バッファ値が前記最小バッファ値超である場合、前記視線について前記一時的バッファ値を決定することは、前記一時的バッファ値を、前記オフターゲット視線と関連付けられた減少値未満の、前記最初に決定された一時的バッファ値として設定することをさらに含むことと、
をさらに含む、方法。
【請求項２８】
請求項２６に記載の方法において、
前記オフターゲット視線が前記状況認識無関係視線として分類された場合、前記視線について前記一時的バッファ値を決定することは、
前記最初に決定された一時的バッファ値を前記最小バッファ値と比較することをさらに含み、
前記最初に決定された一時的バッファ値が前記最小バッファ値以下である場合、前記視線について前記一時的バッファ値を決定することは、前記一時的バッファ値を前記最小バッファ値として設定することをさらに含み、
前記最初に決定された一時的バッファ値が前記最小バッファ値超である場合、前記視線について前記一時的バッファ値を決定することは、前記一時的バッファ値を、前記オフターゲット視線と関連付けられた減少値未満の、前記最初に決定された一時的バッファ値として設定することをさらに含む、方法。
【請求項２９】
請求項２３に記載の方法において、
前記オフターゲット視線から前記オンターゲット視線への移動と関連付けられた推移を考慮に入れることは、
前記オンターゲット視線の情報抽出レイテンシ値を決定することと、
前記情報抽出レイテンシ値を閾値情報抽出レイテンシ値と比較することと、をさらに含み、
前記情報抽出レイテンシ値が前記閾値情報抽出レイテンシ値未満である場合、前記視線について前記一時的バッファ値を決定することとは、前記一時的バッファ値を最初に決定された一時的バッファ値として設定することをさらに含み、
前記情報抽出レイテンシ値が前記閾値情報抽出レイテンシ値以上である場合、前記方法は、前記オンターゲット視線を、中心に位置する視線または周辺に位置する視線であるとして分類することをさらに含み、
前記オンターゲット視線が前記中心に位置する視線である場合、前記視線について前記一時的バッファ値を決定することは、連続的な前記中心に位置する視線の持続時間が閾値時間を超える場合を考慮に入れることをさらに含み、
前記オンターゲット視線が前記周辺に位置する視線である場合、前記視線について前記一時的バッファ値を決定することは、最初に決定された一時的バッファ値、最大バッファ値、および前記オンターゲット視線と関連付けられた増加値のうちの少なくとも１つに基づいて、前記視線について前記一時的バッファ値を決定することをさらに含む、方法。
【請求項３０】
請求項２３に記載の方法において、
決定された前記一時的バッファ値を記憶することと、
決定された前記一時的バッファ値をエクスポートすることと、
１つ以上の後続の一時的バッファ値を決定するために請求項２３に記載のステップを繰り返すことと、をさらに含む、方法。
【請求項３１】
請求項２３に記載の方法において、
前記視線について前記一時的バッファ値を決定することと共に使用される、１つ以上の閾値を調節することをさらに含む、方法。
【請求項３２】
請求項３１に記載の方法において、
前記１つ以上の閾値は、連続的な同じ場所の視線の持続時間と関連付けられた閾値時間、１つ以上の一時的バッファ値と関連付けられた閾値レイテンシ値、および前記視線と関連付けられた閾値情報抽出レイテンシ値のうちの少なくとも１つを含む、方法。
【請求項３３】
請求項２３に記載の方法において、
分類される前記視線は、車両を運転する間になす視線である、方法。
【請求項３４】
請求項３３に記載の方法において、
決定された前記一時的バッファ値を、操作者プロフィールを定めるように構成された１つ以上のデータベースに提供することと、
１つ以上の後続の一時的バッファ値を決定するために請求項２３に記載のステップを繰り返すことと、
決定された前記１つ以上の後続の一時的バッファ値を、操作者プロフィールを定めるように構成された前記１つ以上のデータベースに提供することであって、前記操作者プロフィールは、提供される前記決定された一時的バッファ値および前記決定された１つ以上の後続の一時的バッファ値に基づいて定められる、ことと、をさらに含む、方法。
【請求項３５】
請求項３３に記載の方法において、
決定された前記一時的バッファ値を、グローバルプロフィールを定めるように構成された１つ以上のデータベースに提供することと、
１つ以上の後続の一時的バッファ値を決定するために請求項２３に記載のステップを繰り返すことと、
決定された前記１つ以上の後続の一時的バッファ値を、グローバルプロフィールを定めるように構成された前記１つ以上のデータベースに提供することであって、前記グローバルプロフィールは、前記決定された一時的バッファ値および前記１つ以上の後続の一時的バッファ値の少なくともいくつかの部分から算出された、平均、モード、可変性、移動平均窓、標準偏差、分布サマリー、瞬間ごとの集合プロット、スペクトル幅およびパワーのフーリエ解析を含む高度な指標、ならびに記号集約近似のうちの少なくとも１つに基づいて、定められる、ことと、をさらに含む、方法。
【請求項３６】
請求項３３に記載の方法において、
決定された前記一時的バッファ値を、保険料控除および保険料率のうちの少なくとも１つを決定するのに使用されるように構成された１つ以上のデータベースに提供することをさらに含む、方法。
【請求項３７】
請求項２３に記載の方法において、
前記視線について一時的バッファ値を決定することと共に使用される１つ以上の閾値を調節するために人工知能コンポーネントを動作させることをさらに含む、方法。
【請求項３８】
請求項３７に記載の方法において、
前記１つ以上の閾値の調節は、ユーザおよび前記ユーザに影響を与える環境のうちの少なくとも１つに関する、学習情報に基づく、方法。